(57)【特許請求の範囲】
【請求項１】
筐体と、
電気的機能毎に小分割された電気的機能部と、
隣り合う前記電気的機能部を電気的に接続するための接続部と、
を備えた電子機器において、
前記電気的機能部は、前記筐体の一方向の面に配置され、
前記接続部は、前記筐体の一方向の面側から組み付けができるように前記電気的機能部の端部に設けられており、
前記接続部は、前記電気的機能部に設けられた接続端と、隣り合う前記接続端を電気的に接続する接続体とを有し、
前記接続端には、前記電気的機能部の端部に設けられた接続端子が含まれており、
前記接続体には、弾性挟み込み部が含まれており、
隣り合う前記電気的機能部に設けられた前記一対の接続端子は、互いに対面する形になっており、
前記一対の接続端子は、前記弾性挟み込み部によって、挟まれている、
電子機器。
【請求項２】
筐体と、
電気的機能毎に小分割された電気的機能部と、
隣り合う前記電気的機能部を電気的に接続するための接続部と、
を備えた電子機器において、
前記電気的機能部は、前記筐体の一方向の面に配置され、
前記接続部は、前記筐体の一方向の面側から組み付けができるように前記電気的機能部の端部に設けられており、
前記接続部は、前記電気的機能部に設けられた接続端と、隣り合う前記接続端を電気的に接続する接続体とを有し、
前記接続端には、前記電気的機能部の端部に設けられた出力端子および入力端子が含まれており、
前記接続体には、接続バスバーが含まれており、
前記出力端子と前記入力端子とのそれぞれには、接続圧入端子が設けられており、
前記接続バスバーには、接続圧入穴が形成されており、
前記接続圧入穴に前記接続圧入端子が圧入されており、
前記出力端子と前記入力端子とが前記接続バスバーによって接続されている、
電子機器。
【請求項３】
筐体と、
電気的機能毎に小分割された電気的機能部と、
隣り合う前記電気的機能部を電気的に接続するための接続部と、
を備えた電子機器において、
前記電気的機能部は、前記筐体の一方向の面に配置され、
前記接続部は、前記筐体の一方向の面側から組み付けができるように前記電気的機能部の端部に設けられており、
前記接続部は、前記電気的機能部に設けられた接続端と、隣り合う前記接続端を電気的に接続する接続体とを有し、
前記接続端には、前記電気的機能部の端部に設けられた出力端子および入力端子が含まれており、
前記接続体には、接続バスバーが含まれており、
前記出力端子と前記入力端子とのそれぞれには、ピンが設けられており、
前記接続バスバーを貫通したピンの先端部にプッシュナットが圧入されており、
前記出力端子と前記入力端子とが前記接続バスバーによって接続されている、
電子機器。
【請求項４】
筐体と、
電気的機能毎に小分割された電気的機能部と、
隣り合う前記電気的機能部を電気的に接続するための接続部と、
を備えた電子機器において、
前記電気的機能部は、前記筐体の一方向の面に配置され、
前記接続部は、前記筐体の一方向の面側から組み付けができるように前記電気的機能部の端部に設けられており、
前記電気的機能部を位置決めし保持するための位置決め保持部をさらに備え、
前記接続部は、前記電気的機能部に設けられた接続端を有し、
前記接続端には、前記電気的機能部の端部に設けられた出力端子および入力端子が含まれており、
前記出力端子および前記入力端子の一方は、無負荷状態で、前記出力端子および前記入力端子の他方に向けて突き出た部分を有しており、
平面的にみて、前記出力端子および前記入力端子の何れかは、隣り合う電気的機能部の一方から他方へと跨るように延びており、
前記電気的機能部は、位置決め保持部により、前記筐体に位置決めされて固定されており、
前記出力端子および前記入力端子の一方が、前記出力端子および前記入力端子の他方に、押さえつけ状態で着座されている、
電子機器。
【請求項５】
筐体と、
電気的機能毎に小分割された電気的機能部と、
隣り合う前記電気的機能部を電気的に接続するための接続部と、
を備えた電子機器において、
前記電気的機能部は、前記筐体の一方向の面に配置され、
前記接続部は、前記筐体の一方向の面側から組み付けができるように前記電気的機能部の端部に設けられており、
前記電気的機能部を位置決めし保持するための位置決め保持部をさらに備え、
前記接続部は、前記電気的機能部に設けられた接続端を有し、
前記接続端には、前記電気的機能部の端部に設けられた出力端子および入力端子が含まれており、
前記出力端子および前記入力端子の一方は、前記出力端子および前記入力端子の他方に向けて突き出た凸部を有しており、
前記出力端子および前記入力端子の他方は、上記凸部を受け容れる受け部を有しており、
平面的にみて、前記出力端子および前記入力端子の何れかは、隣り合う電気的機能部の一方から他方へと跨るように延びており、
前記電気的機能部は、位置決め保持部により、前記筐体に位置決めされて固定されており、
前記凸部が、前記受け部に挿入された状態で嵌合される、
電子機器。
【請求項６】
筐体と、
電気的機能毎に小分割された電気的機能部と、
隣り合う前記電気的機能部を電気的に接続するための接続部と、
を備えた電子機器において、
前記電気的機能部は、前記筐体の一方向の面に配置され、
前記接続部は、前記筐体の一方向の面側から組み付けができるように前記電気的機能部の端部に設けられており、
前記接続部は、前記電気的機能部に設けられた接続端を有し、
前記接続端には、前記電気的機能部の端部に設けられた弾性挟み込み機能付き接続端子および被把持部を含む接続端子が含まれており、
前記弾性挟み込み機能付き接続端子は、隣り合う一対の前記電気的機能部の一方に設けられており、前記被把持部を含む接続端子は、隣り合う一対の前記電気的機能部の他方に設けられており、
前記被把持部を含む接続端子の該被把持部は、弾性挟み込み機能付き接続端子によって、挟まれている、
電子機器。
【請求項７】
筐体と、
電気的機能毎に小分割された電気的機能部と、
隣り合う前記電気的機能部を電気的に接続するための接続部と、
を備えた電子機器において、
前記電気的機能部は、前記筐体の一方向の面に配置され、
前記接続部は、前記筐体の一方向の面側から組み付けができるように前記電気的機能部の端部に設けられており、
前記電気的機能部を位置決めし保持するための位置決め保持部をさらに備え、
前記接続部は、前記電気的機能部に設けられた接続端と、隣り合う前記接続端を電気的に接続する接続体とを有し、
前記接続端には、前記電気的機能部の端部に設けられた出力端子および入力端子が含まれており、
前記接続体には、接続バスバーが含まれており、
前記位置決め保持部は、樹脂製支柱、位置決め固定部および接続バスバー用ネジを含んでおり、
前記樹脂製支柱は、前記筐体に設けられており、
前記位置決め固定部は、前記電気的機能部に設けられており、
前記接続バスバー用ネジは、前記出力端子と前記入力端子と前記接続バスバーとを貫通しており、且つ、該接続バスバー用ネジは、前記樹脂製支柱にねじ込まれている、
電子機器。
【請求項８】
前記樹脂製支柱は、絶縁性樹脂で構成されている、
請求項７の電子機器。
【請求項９】
上記電子機器がＥＶあるいはＰＨＥＶの車載用電力変換機器であることを特徴とする請求項１〜８の電子機器。
【請求項１０】
上記電子機器がＥＶあるいはＰＨＥＶの車載用ＤＣ／ＤＣコンバータであることを特徴とする請求項１〜８の電子機器。
【請求項１１】
上記電子機器がＥＶあるいはＰＨＥＶの車載用充電器であることを特徴とする請求項１〜８の電子機器。
【発明の詳細な説明】
【技術分野】
【０００１】
本発明は、電子機器に関するものである。
【背景技術】
【０００２】
従来構造の一例として、部品を機能モジュール毎に分けず、電子回路基板、大型電気部品等を各々筐体に固定して、それぞれの間をリード線、バスバーやコネクタで電気的に接続している電子機器が知られている（例えば、特許文献１参照）。
【０００３】
また、他の従来構造の一例として、機能部品や電気部品間の電気的接続を溶接で行っている電子機器が知られている（例えば、特許文献２参照）。
【先行技術文献】
【特許文献】
【０００４】
【特許文献１】特許第３４５５３８６号公報
【特許文献２】特許第４９０９９６１号公報
【発明の概要】
【発明が解決しようとする課題】
【０００５】
しかしながら、上記特許文献１に示される電子機器では、電気的に接続される部品や部材が整然と並んでおらず、また、その搭載方向も一方向ではない。部品や部材の組み付けや電気的接続が一方向から行えず、作業する箇所によっては、筐体の向きを変える必要があり、組み立て性を阻害するという問題があった。
また、接続部も形状が複雑化し、これによっても組み立て性を阻害するという問題があった。
【０００６】
また、上記特許文献２に示される電子機器では、機能部品や電気部品を電気的に接続する方法として、溶接を用いているので、組み立て後、一つの機能部品や電気部品が故障しても分解できず、故障部品のみを取り替えてリペアができない。このため、一部の部品、または、製品ごとに廃却しなければならないという問題があった。
【０００７】
この発明は上記課題を解消するためになされたものであり、組み立て性を向上させ、かつ、組み立て後の故障部品の取り替えを可能にし、リペア性を向上させた電子機器を得ることを目的とする。
【課題を解決するための手段】
【０００８】
上述した目的を達成するための本発明は、筐体と、電気的機能毎に小分割された電気的機能部と、隣り合う前記電気的機能部を電気的に接続するための接続部とを備えた電子機器において、前記電気的機能部は、前記筐体の一方向の面に配置され、前記接続部は、前記筐体の一方向の面側から組み付けができるように前記電気的機能部の端部に設けられている。
【発明の効果】
【０００９】
本発明によれば、組み立て性を向上させ、かつ、組み立て後の故障部品の取り替えを可能にし、リペア性を向上させた電子機器を得ることができる。
【図面の簡単な説明】
【００１０】
【図１】本発明の実施の形態１に係る電子機器の外観を示す斜視図である。
【図２】図１の電子機器のカバーを外した状態の斜視図である。
【図３】機能モジュールの組立状態を示す斜視図である。
【図４】図３の状態を真上から見た平面図である。
【図５】図４のＣ−Ｃ線に沿った矢視断面である。
【図６】図５の分解図である。
【図７】機能モジュールの組立状態を示す斜視図である。
【図８】図７の状態を真上から見た平面図である。
【図９】図８のＤ−Ｄ線に沿った矢視断面である。
【図１０】図９の分解図である。
【図１１】本発明の実施の形態２に係る電子機器の機能モジュールの組立状態を示す斜視図である。
【図１２】図１１の機能モジュールの内部バスバーと接続バスバーとを抜き出した斜視図である。
【図１３】図１２の接続バスバーの組み立てを示す分解図である。
【図１４】本発明の実施の形態３に係る電子機器の機能モジュールの内部バスバーと接続バスバーとプッシュナットとを抜き出して示す、図１２と同態様の斜視図である。
【図１５】図１４の接続バスバー、プッシュナットの組み立てを示す分解図である。
【図１６】本発明の実施の形態４に係る電子機器の機能モジュールの組み立て状態を示した、図４と同態様の平面図である。
【図１７】図１６のＥ−Ｅ線に沿った矢視断面図である。
【図１８】本発明の実施の形態５に係る電子機器の機能モジュールの組み立て状態を示した、図５と同態様の図である。
【図１９】図１８の嵌合端子形状の斜視図である。
【図２０】本発明の実施の形態６に係る電子機器の機能モジュールの組み立て状態を示した、図９と同態様の図である。
【図２１】本発明の実施の形態７に係る電子機器の機能モジュールの組み立て状態を示した、図５と同態様の図である。
【発明を実施するための形態】
【００１１】
以下、本発明に係る電子機器の実施の形態について添付図面に基づいて説明する。なお、図中、同一符号は同一又は相当部分を示すものとする。
【００１２】
実施の形態１．
本発明は、筐体内に機能要素毎にモジュール化された機能モジュールを電気的機能部として有し、それら機能モジュール間を接続部で接続する構造を有する電子機器であり、実施の形態１は、その一例である。
【００１３】
図１は、この発明の実施の形態１の電子機器の外観を示す斜視図である。図２は、図１の電子機器のカバー２を外した状態の斜視図である。図３は、機能モジュール１１、１２の組み立て状態を示す斜視図である。図４は、図３の状態を真上から見た平面図である。図５は、図４のＣ−Ｃ線に沿った矢視断面図である。図６は、図５の分解図である。図７は、機能モジュール１３、１４の組み立て状態を示す斜視図である。図８は、図７の状態を真上から見た平面図である。図９は、図８のＤ−Ｄ線に沿った矢視断面図である。図１０は、図９の分解図である。
【００１４】
この電子機器において、筐体１の上面には、カバー２が複数のカバー用ネジ３で固定されている。筐体１は、その一方の側面に、入力コネクタ４および出力コネクタ６を有している。入力コネクタ４は、入力コネクタ用ネジ５により、筐体１の側面の一端側に固定されており、出力コネクタ６は、出力コネクタ用ネジ７により、筐体１の側面の他端側に固定されている。
【００１５】
筐体１内には、電子回路基板１０、複数の電気的機能部としての複数の機能モジュールが収納されている（機能モジュール１１、１２については図２のＡ部も参照、機能モジュール１３、１４については図２のＢ部も参照）。
【００１６】
なお、電子回路基板１０を固定するための支柱及びネジは、図示省略している。また、機能モジュール間の接続方法の説明は、代表例として、参照符号で示す機能モジュール１１、１２、１３、１４について説明し、その他の機能モジュールについては、同様であり、省略する。また、機能モジュールの内部構造や構成は、特に限定されるものでなく、詳細な図示および説明はここでは省略する。
【００１７】
筐体１には、複数の支柱１７が備わっている。第１の機能モジュール１１および第２の機能モジュール１２のそれぞれには、位置決め固定部２２が形成されている。位置決め固定部２２は、支柱１７の全体または一部を収めることができる凹部である。
【００１８】
対応する位置決め固定部２２を、支柱１７に沿わせることで、第１の機能モジュール１１および第２の機能モジュール１２が位置決めされる。第１の機能モジュール１１および第２の機能モジュール１２は、上記のように位置決めされて、機能モジュール用ネジ１８で固定される。機能モジュール用ネジ１８は、固定端子２０を貫通して、支柱１７にねじ込まれる。これら支柱１７、位置決め固定部２２および機能モジュール用ネジ１８は、位置決め保持部として機能する。
【００１９】
その後、隣接する機能モジュールの出力端子２１と入力端子１９とを接続バスバー１５で接続し、接続バスバー１５を接続バスバー用ネジ１６で固定する。このようにして、第１の機能モジュール１１と、第２の機能モジュール１２とが、電気的に接続される。
【００２０】
すなわち、電子機器は、隣り合う機能モジュール１１、１２を電気的に接続するための接続部を備えており、接続部は、接続端である出力端子２１と入力端子１９と、接続体である接続バスバー１５とを有している。機能モジュール１１、１２は、筐体１の一方向の面に配置され、接続部は、それ自身の形状を簡素化し、かつ、筐体１の一方向の面側から組み付けができるように機能モジュール１１、１２の端部に設けられている。
【００２１】
第３の機能モジュール１３は、接続端子２４を備えており、機能モジュール用ネジ２３で固定されている。第４の機能モジュール１４は、接続端子２６を備えており、機能モジュール用ネジ２５で固定されている。機能モジュール１３、１４を位置決めして固定（位置決め方法は図示省略）すれば、接続端子２４、２６は合掌する形（対面する形）で重なり合うので、これにクリップ２７を挟んで機能モジュール１３、１４間を電気的に接続する。クリップ２７は、ばね性を有する部材であり、弾性挟み込み部（ばね性挟み込み部）として機能する。
【００２２】
すなわち、電子機器は、隣り合う機能モジュール１３、１４を電気的に接続するための接続部を備えており、接続部は、接続端と、接続体とを有している。機能モジュール１３、１４は、筐体１の一方向の面に配置され、接続部は、筐体１の一方向の面側から組み付けができるように機能モジュール１３、１４の端部に設けられている。接続端には、機能モジュール１３、１４の端部に設けられた接続端子２４、２６が含まれており、接続体には、弾性挟み込み部が含まれており、弾性挟み込み部は、クリップ２７である。
【００２３】
この実施の形態１による電子機器によれば、機能モジュール化したものを一部品として、それら部品を整然と並べて配置し、筐体への固定と隣接する機能モジュール間の電気接続を一方向から行えるようにし、かつ、機能モジュールの接続部を端部に配置し、接続部の形状を簡素化した。このため、組み立て性が向上し、かつ、組み立て後の故障部品の取り替えを可能にしたことでリペア性が向上する。
【００２４】
実施の形態２．
次に、本発明の実施の形態２について図１１〜図１３を用いて説明する。なお、本実施の形態２は、以下に説明する部分を除いては、上述した実施の形態１と同様であるものとする。
【００２５】
図１１は、本実施の形態２の電子機器の機能モジュール１１、１２の組み立て状態を示す斜視図である。図１２は、図１１の機能モジュール１１、１２の内部バスバーと接続バスバー１５を抜き出した斜視図である。図１３は、図１２の接続バスバー１５の組み立てを示す分解図である。
【００２６】
本実施の形態２においても、機能モジュールの端部に、出力端子（接続端）２２１と入力端子（接続端）２１９とが設けられており、隣接する機能モジュールの出力端子２２１と入力端子２１９は、接続バスバー（接続体）２１５で接続されている。ここで、本実施の形態２における出力端子２２１と入力端子２１９とのそれぞれには、接続圧入端子３１が設けられている。また、接続バスバー２１５には、接続圧入端子３１と対応する位置に、接続圧入穴３２が形成されている。
【００２７】
このようにして設けられた接続圧入穴３２に対応する接続圧入端子３１を圧入するようにして、対応する出力端子２２１と入力端子２１９とを、接続バスバー２１５によって接続する。これにより、接続バスバー２１５を固定するためのネジを用いることなく、第１の機能モジュール１１と、第２の機能モジュール１２との電気的接続を完了させることができる。
【００２８】
この実施の形態２による電子機器によっても、機能モジュール化したものを一部品として、それら部品を整然と並べて配置し、筐体への固定と隣接する機能モジュール間の電気接続を一方向から行えるようにし、かつ、機能モジュールの接続部を端部に配置し、接続部の形状を簡素化した。このため、組み立て性が向上し、かつ、組み立て後の故障部品の取り替えが可能にしたことでリペア性が向上する。
【００２９】
また、本実施の形態２では、接続バスバーを固定するためのネジを用いることなく、隣り合う機能モジュールの電気的接続を完了させることができ、これによっても、組み立て性がさらに向上する。
【００３０】
実施の形態３．
次に、本発明の実施の形態３について図１４および図１５を用いて説明する。なお、本実施の形態３は、以下に説明する部分を除いては、上述した実施の形態１と同様であるものとする。
【００３１】
図１４は、本発明の実施の形態３の電子機器の機能モジュールの内部バスバーと接続バスバー１５とプッシュナット４２とを抜き出して示した、図１２と同態様の斜視図である、図１５は、図１４の接続バスバー１５、プッシュナット４２の組み立てを示す分解図である。
【００３２】
本実施の形態３においても、機能モジュールの端部に、出力端子（接続端）３２１と入力端子（接続端）３１９とが設けられており、隣接する機能モジュールの出力端子３２１と入力端子３１９は、接続バスバー（接続体）３１５で接続されている。ここで、本実施の形態３における出力端子３２１と入力端子３１９とのそれぞれには、ピン４１が設けられている。また、接続バスバー３１５には、ピン４１と対応する位置に、貫通穴が形成されている。
【００３３】
このようにして設けられた貫通穴に対応するピン４１を挿通し、そのピン４１の先端部にプッシュナット４２を圧入し、それにより、接続バスバー３１５を押さえつける。これにより、接続バスバー２１５を固定するためのネジを用いることなく、第１の機能モジュール１１と、第２の機能モジュール１２との電気的接続を完了させることができる。
【００３４】
この実施の形態３による電子機器によっても、機能モジュール化したものを一部品として、それら部品を整然と並べて配置し、筐体への固定と隣接する機能モジュール間の電気接続を一方向から行えるようにし、かつ、機能モジュールの接続部を端部に配置し、接続部の形状を簡素化した。このため、組み立て性が向上し、かつ、組み立て後の故障部品の取り替えを可能にしたことでリペア性が向上する。
【００３５】
また、本実施の形態３では、接続バスバーを固定するためのネジを用いることなく、隣り合う機能モジュールの電気的接続を完了させることができ、これによっても、組み立て性がさらに向上する。
【００３６】
実施の形態４．
次に、本発明の実施の形態４について図１６および図１７を用いて説明する。なお、本実施の形態４は、以下に説明する部分を除いては、上述した実施の形態１と同様であるものとする。
【００３７】
図１６は、本発明の実施の形態４の電子機器の機能モジュール１１、１２の組み立て状態を示した、図４と同態様の平面図である。図１７は、図１６のＥ−Ｅ線に沿った矢視断面図である。
【００３８】
本実施の形態４においても、機能モジュールの端部に、出力端子（接続端）５２と入力端子（接続端）５１とが設けられている。出力端子５２および入力端子５１の一方は、ばね性を有する押さえ付け構造（弾性押さえ付け構造）であり、すなわち、出力端子５２および入力端子５１の一方は、無負荷状態で、出力端子５２および入力端子５１の他方に向けて突き出た部分を有している。出力端子５２および入力端子５１の他方は、平面構造である。なお、図示例では、入力端子５１が、出力端子５２に向けて突き出た部分が設けられている。
【００３９】
また、平面的にみて、出力端子５２および入力端子５１の何れかは、隣り合う機能モジュールの一方から他方へと跨るように延びている。なお、図示例では、平面的にみて、第２の機能モジュール１２の入力端子５１が、第１の機能モジュール１１に跨るように延びている。
【００４０】
このような構成において、支柱１７、位置決め固定部２２および機能モジュール用ネジ１８により、機能モジュール１１、１２を、筐体１に位置決めして固定すると、入力端子５１が、隣接する出力端子５２に、押さえつけ状態で着座し、電気的接続が実施される。
【００４１】
この実施の形態４による電子機器によっても、機能モジュール化したものを一部品として、それら部品を整然と並べて配置し、筐体への固定と隣接する機能モジュール間の電気接続を一方向から行えるようにし、かつ、機能モジュールの接続部を端部に配置し、接続部の形状を簡素化した。このため、組み立て性が向上し、かつ、組み立て後の故障部品の取り替えが可能にしたことでリペア性が向上する。
【００４２】
また、本実施の形態４では、接続バスバーを用いることなく、隣り合う機能モジュールの電気的接続を完了させることができ、これによっても、組み立て性がさらに向上する。また、機能モジュールを位置決め固定をすれば、隣接の機能モジュール間の電気的接続も成され、更に組み立て性が向上し、かつ、実施の形態１と同じリペア性向上効果も得られる。
【００４３】
実施の形態５．
次に、本発明の実施の形態５について図１８および図１９を用いて説明する。なお、本実施の形態５は、以下に説明する部分を除いては、上述した実施の形態１と同様であるものとする。
【００４４】
図１８は、本発明の実施の形態５の電子機器の機能モジュール１１、１２の組み立て状態を示した、図５と同態様の図である。図１９は、図１８の嵌合端子形状（入力端子６１、出力端子６２）の斜視図である。
【００４５】
本実施の形態５においても、機能モジュールの端部に、出力端子（接続端）６２と入力端子（接続端）６１とが設けられている。出力端子６２および入力端子６１の一方は、出力端子６２および入力端子６１の他方に向けて突き出た凸部を有している。一方、出力端子６２および入力端子６１の他方には、上記凸部を受け容れる受け部を有している。なお、図示例では、入力端子６１に凸部６１ａが形成され、出力端子６２に受け部６２ａが形成されている。
【００４６】
また、平面的にみて、出力端子６２および入力端子６１の何れかは、隣り合う機能モジュールの一方から他方へと跨るように延びている。なお、図示例では、平面的にみて、第２の機能モジュール１２の入力端子６１が、第１の機能モジュール１１に跨るように延びている。
【００４７】
このような構成において、支柱１７、位置決め固定部２２および機能モジュール用ネジ１８により、機能モジュール１１、１２を、筐体１に位置決めして固定すると、入力端子６１の凸部６１ａが、隣接する出力端子６２の受け部６２ａに挿入され嵌合されて、電気的接続が実施される。
【００４８】
この実施の形態５による電子機器によっても、機能モジュール化したものを一部品として、それら部品を整然と並べて配置し、筐体への固定と隣接する機能モジュール間の電気接続を一方向から行えるようにし、かつ、機能モジュールの接続端を端部に配置し、接続端の形状を簡素化した。このため、組み立て性が向上し、かつ、組み立て後の故障部品の取り替えを可能にしたことでリペア性が向上する。
【００４９】
また、本実施の形態５では、接続バスバーを用いることなく、隣り合う機能モジュールの電気的接続を完了させることができ、これによっても、組み立て性がさらに向上する。また、機能モジュールを位置決め固定をすれば、隣接の機能モジュール間の電気的接続も成され、更に組み立て性が向上し、かつ、実施の形態１と同じリペア性向上効果も得られる。
【００５０】
実施の形態６．
次に、本発明の実施の形態６について図２０を用いて説明する。なお、本実施の形態６は、以下に説明する部分を除いては、上述した実施の形態１〜５の何れかと同様であるものとする。
【００５１】
図２０は、本発明の実施の形態６の電子機器の機能モジュール１３、１４の組み立て状態を示した、図９と同態様の図である。
【００５２】
本実施の形態６においては、第３の機能モジュール１３および第４の機能モジュール１４の一方に、クリップ機能付き接続端子２８が設けられ、第３の機能モジュール１３および第４の機能モジュール１４の他方に、被把持部を含む接続端子が設けられている。なお、図示例では、第３の機能モジュール１３に、クリップ機能付き接続端子２８が設けられ、第４の機能モジュール１４に、被把持部を含む接続端子２６が設けられている。
【００５３】
この電子機器において、機能モジュール１４を先に位置決め固定（位置決め方法は図示省略）し、その後、機能モジュール１３を位置決め固定（位置決め方法は図示省略）すれば、機能モジュール１４の被把持部を含む接続端子２６の当該被把持部に、機能モジュール１３のクリップ機能付き接続端子２８が嵌合接続し、電気的接続が実施される。
【００５４】
すなわち、電子機器は、隣り合う機能モジュール１３、１４を電気的に接続するための接続部を有し、その接続部は、モジュール１３、１４に設けられた接続端を有し、それら接続端には、モジュール１３、１４の端部に設けられた弾性挟み込み機能付き接続端子（ばね挟み込み機能付き接続端子）としてのクリップ機能付き接続端子２８および被把持部を含む接続端子２６が含まれており、クリップ機能付き接続端子２８は、隣り合う一対のモジュール１３、１４の一方に設けられており、被把持部を含む接続端子２６は、隣り合う一対のモジュール１３、１４の他方に設けられており、被把持部を含む接続端子２６の該被把持部は、クリップ機能付き接続端子２８によって、挟まれている。
【００５５】
この実施の形態６による電子機器によっても、機能モジュール化したものを一部品として、それら部品を整然と並べて配置し、筐体への固定と隣接する機能モジュール間の電気接続を一方向から行えるようにし、かつ、機能モジュールの接続端を端部に配置し、接続端の形状を簡素化した。このため、組み立て性が向上し、かつ、組み立て後の故障部品の取り替えを可能にしたことでリペア性が向上する。
【００５６】
また、本実施の形態６では、一対の接続端の間に接続体としてのクリップを用いることなく、隣り合う機能モジュールの電気的接続を完了させることができ、これによっても、組み立て性がさらに向上する。また、機能モジュールを位置決め固定をすれば、隣接の機能モジュール間の電気的接続も成され、更に組み立て性が向上し、かつ、実施の形態１と同じリペア性向上効果も得られる。
【００５７】
実施の形態７．
次に、本発明の実施の形態７について図２１を用いて説明する。なお、本実施の形態７は、以下に説明する部分を除いては、上述した実施の形態１〜６の何れかと同様であるものとする。
【００５８】
図２１は、本発明の実施の形態７の電子機器の機能モジュール１１、１２の組み立て状態を示した、図５と同態様の図である。
【００５９】
電子機器の筐体１には、複数の樹脂製支柱２９が備わっている。より詳細には、樹脂製支柱２９は、絶縁性樹脂で構成されている。第１の機能モジュール１１および第２の機能モジュール１２のそれぞれには、位置決め固定部２２が形成されている。位置決め固定部２２は、樹脂製支柱２９の全体または一部を収めることができる凹部である。
【００６０】
対応する位置決め固定部２２を、支柱２９に沿わせることで、第１の機能モジュール１１および第２の機能モジュール１２が位置決めされる。第１の機能モジュール１１および第２の機能モジュール１２は、上記のように位置決めされて、接続バスバー用ネジ１６で固定される。
【００６１】
さらに、電子機器は、隣り合う機能モジュール１１、１２を電気的に接続するための接続部を備えており、接続部は、接続端である出力端子２１と入力端子１９と、接続体である接続バスバー１５とを有している。機能モジュール１１、１２は、筐体１の一方向の面に配置され、接続部は、それ自身の形状を簡素化し、かつ、筐体１の一方向の面側から組み付けができるように機能モジュール１１、１２の端部に設けられている。
【００６２】
隣接する機能モジュールの出力端子２１と入力端子１９とを接続バスバー１５で接続し、接続バスバー１５を接続バスバー用ネジ１６で固定する。このようにして、第１の機能モジュール１１と、第２の機能モジュール１２とが、電気的に接続される。
【００６３】
すなわち、接続バスバー用ネジ１６は、出力端子２１と入力端子１９と接続バスバー１５とを貫通して、樹脂製支柱２９にねじ込まれる。これら樹脂製支柱２９、位置決め固定部２２および接続バスバー用ネジ１６は、位置決め保持部として機能する。
【００６４】
この実施の形態７による電子機器によっても、機能モジュール化したものを一部品として、それら部品を整然と並べて配置し、筐体への固定と隣接する機能モジュール間の電気接続を一方向から行えるようにし、かつ、機能モジュールの接続端を端部に配置し、接続端の形状を簡素化した。このため、組み立て性が向上し、かつ、組み立て後の故障部品の取り替えを可能にしたことでリペア性が向上する。
【００６５】
また、本実施の形態７では、接続バスバー用ネジを樹脂製支柱にねじ込むことで、隣り合う機能モジュールの電気的な接続と、機能モジュールの筐体に対する位置決め保持とをの双方を同時に完了させることができ、これによっても、組み立て性がさらに向上する。
【００６６】
実施の形態８．
本発明の実施の形態８として、上記実施の形態１〜７の上記電子機器が、ＥＶあるいはＰＨＥＶの車載用電力変換機器である例を挙げる。さらに、具体的には、上記実施の形態１〜７の上記電子機器が、ＥＶあるいはＰＨＥＶの車載用ＤＣ／ＤＣコンバータである例を挙げる。さらに、具体的には、上記実施の形態１〜７の上記電子機器が、ＥＶあるいはＰＨＥＶの車載用充電器である例を挙げる。
【００６７】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００６８】
１  筐体、２  カバー、３  カバー用ネジ、４  入力コネクタ、５  入力コネクタ用ネジ、６  出力コネクタ、７  出力コネクタ用ネジ、１０  電子回路基板、１１、１２、１３、１４  機能モジュール、１５、２１５、３１５  接続バスバー、１６  接続バスバー用ネジ、１７  支柱、１８  機能モジュール用ネジ、１９、５１、６１、２１９、３１９  入力端子、２０  固定端子、２１、５２、６２、２２１、３２１  出力端子、２２  位置決め固定部、２３、２５  機能モジュール用ネジ、２４、２６  接続端子、２７  クリップ、２８  クリップ機能付き接続端子、３１  接続圧入端子、３２  接続圧入穴、４１  ピン、４２  プッシュナット、６１ａ  凸部、６２ａ  受け部。
【要約】
【課題】組み立て性を向上させ、かつ、組み立て後の故障部品の取り替えを可能にし、リペア性を向上させた電子機器を得ること。
【解決手段】電子機器は、筐体１と、電気的機能毎に小分割された機能モジュール１１、１２、１３、１４と、隣り合う機能モジュール１１、１２、１３、１４を電気的に接続するための接続部とを備え、機能モジュール１１、１２、１３、１４は、筐体１の一方向の面に配置され、接続部は、筐体の一方向の面側から組み付けができるように機能モジュール１１、１２、１３、１４の端部に設けられている。
【選択図】図２【図１】
0005885171.tif 000002
【図２】
0005885171.tif 000003
【図３】
0005885171.tif 000004
【図４】
0005885171.tif 000005
【図５】
0005885171.tif 000006
【図６】
0005885171.tif 000007
【図７】
0005885171.tif 000008
【図８】
0005885171.tif 000009
【図９】
0005885171.tif 000010
【図１０】
0005885171.tif 000011
【図１１】
0005885171.tif 000012
【図１２】
0005885171.tif 000013
【図１３】
0005885171.tif 000014
【図１４】
0005885171.tif 000015
【図１５】
0005885171.tif 000016
【図１６】
0005885171.tif 000017
【図１７】
0005885171.tif 000018
【図１８】
0005885171.tif 000019
【図１９】
0005885171.tif 000020
【図２０】
0005885171.tif 000021
【図２１】
0005885171.tif 000022